(57)【要約】【課題】  案内面に付着した塵埃によるシリンダ錠の作動不良を防止し得る鍵の差込み案内装置を提供する。【解決手段】  シリンダ錠の内筒の前端に一体に突設された主キーガイドより大径の円環状をなし、主キーガイドの外側に嵌着される厚肉円盤６を有し、その前面に浅い擂鉢状の案内面１１を形成し、この案内面１１に沿って合鍵の鍵先をシリンダ錠の鍵孔に誘導するようにし、また、案内面１１の中央部に鍵孔へ差込まれる合鍵のショルダ部を逃がすための一対の切欠き部１３、１３を形成し、一方、この案内面の表面に複数の環状溝１４を同心に形成すると共に、各環状溝１４の幅を鍵先が落込まないように設定し、案内面表面に付着し、案内面に沿って鍵孔に向かう合鍵の先端によって掻き取られた塵埃を、当該鍵先によって環状溝１４に押込む【選択図】  図３
2008063800.tif 000002
【特許請求の範囲】
【請求項１】
シリンダ錠の内筒の前端に一体に突設された主キーガイドより大径の円環状をなし、主キーガイドの外側に嵌着される厚肉円盤を有し、その前面に浅い擂鉢状の案内面を形成し、この案内面に沿って合鍵の鍵先をシリンダ錠の鍵孔に誘導するようにし、また、案内面の中央部に鍵孔へ差込まれる合鍵のショルダ部を逃がすための一対の切欠き部を形成し、一方、この案内面の表面に複数の環状溝を同心に形成すると共に、各環状溝の幅を鍵先が落込まないように設定し、案内面表面に付着し、案内面に沿って鍵孔に向かう合鍵の先端によって掻き取られた塵埃を、当該鍵先によって環状溝に押込むようにしたことを特徴とするシリンダ錠における鍵の差込み案内装置。
【発明の詳細な説明】
【技術分野】
【０００１】
この発明は、シリンダ錠における鍵の差込み案内装置（以下単に差込み案内装置という）に係り、特に、鍵の案内部の主要部である挿通穴に付着した塵埃による不都合を解消し得る差込み案内装置に関する。
【背景技術】
【０００２】
本出願人は、先に、後記特許文献１を以て、新規な鍵の差込み案内装置を提案した。
【０００３】
この差込み案内装置は、図１に示すように、取付筒１内に収納され、内筒２の前端に一体的に設けられた主キーガイド３を外筒４の前端面及び取付筒１から突出させた状態で扉の外面に装着されたシリンダ錠と、取付筒１の外側に嵌着された保持筒５と、主キーガイド３より大径の円環状をなし、主キーガイドの外側に嵌着された副キーガイド６とを有し、主キーガイドに円錐状の誘導傾斜面を、副キーガイドの前方部に円錐状挿通穴７を夫々形成し、これら円錐状挿通穴及び誘導傾斜面を滑らかに接続させて鍵孔１０に連なる単一の円錐面を形成すると共に、副キーガイドの挿通穴７の内周部に、鍵孔へ差込まれる鍵のショルダ部を逃がすための一対の切欠き部８を形成し、一方、主キーガイド及び副キーガイドの嵌込み部に形成された嵌め溝及び突状を相互に嵌め込ませてこれらに回り止めを施すと共に、保持筒の前端開口縁部を内側に延伸させてストッパ部９を形成し、これを副キーガイドの前面外周部に接合させることにより副キーガイドの抜け止めを施し、他方、副キーガイド６の材質を蓄光性成分を含有する高分子材料にしたことを特徴とするものである。
【特許文献１】特許第２９２９５２７号に係る特許公報
【発明の開示】
【発明が解決しようとする課題】
【０００４】
上記した構成の差込み案内装置は、長期間の使用により、副キーガイドの挿通穴の傾斜面に土、埃（ほこり）、或いは塵（ちり）が付着し、或いは雨や水蒸気と混じり合って、水分が蒸発した後はこれらの固体成分（以下単に塵埃という）が挿通穴の傾斜面にこびり付く。
【０００５】
一方、上記したように塵埃がこびり付いた挿通穴の傾斜面は合鍵を鍵孔に導く案内面となっているから、合鍵の使用毎に鍵の先端がこれら塵埃を掻き取ってこれを鍵孔内に導入することになる。
【０００６】
すると、鍵の本体によって鍵孔内に押込まれた塵埃は、タンブラー及び／又はタンブラーの案内部に付着し、タンブラーが円滑に動くように設けられた隙間を塞いでしまうため、シリンダ錠の作動不良の原因となる。
【０００７】
そこで、この発明は、副キーガイドの挿通穴傾斜面に付着した塵埃によるシリンダ錠の作動不良を防止し得る鍵の差込み案内装置を提供することを目的としている。
【課題を解決するための手段】
【０００８】
上記の目的を達成するため、請求項１に記載の発明は、シリンダ錠の内筒の前端に一体に突設された主キーガイドより大径の円環状をなし、主キーガイドの外側に嵌着される厚肉円盤で、その前面に浅い擂鉢状の案内面を形成し、この案内面に沿って合鍵の鍵先をシリンダ錠の鍵孔に誘導するようにし、また、案内面の中央部に鍵孔へ差込まれる合鍵のショルダ部を逃がすための一対の切欠き部を形成し、一方、この案内面の表面に複数の環状溝を同心に形成すると共に、各環状溝の幅を鍵先が落込まないように設定し、案内面表面に付着し、案内面に沿って鍵孔に向かう合鍵の先端によって掻き取られた塵埃を、当該鍵先によって環状溝に押込むようにしたことを特徴とする。
【発明の効果】
【０００９】
上記のように構成された請求項１に記載の発明による差込み案内装置は、シリンダ錠の施解錠操作毎に合鍵の鍵先が案内面表面に付着した塵埃を掻き取ってこれを環状溝に押込むので、鍵孔内に導入される塵埃の量が各段に少なくなり、シリンダ錠の円滑な作動を長期間にわたって期待できる、という所期の効果を奏する。
【００１０】
また、差込み案内装置としての機能に何等悪影響を与えないし、更にまた、構成が非常に簡単で実施が極めて容易である、等種々の効果を奏する。
【発明を実施するための最良の形態】
【００１１】
前面に浅い擂鉢状の案内面を形成した厚肉円盤状の差込み案内装置の案内面表面に、複数の浅い環状溝を同心状に形成するという簡単な構成で、案内面表面にこびり付いた塵埃が鍵先によって鍵孔内に導入される、という不都合を解消できた。
【実施例１】
【００１２】
以下、この発明の実施例を図２乃至図５を参照して説明する。
図２及び図３において符号６は厚肉円盤を示し、この厚肉円盤６は前記特許文献１における副キーガイドと均等である。
【００１３】
この厚肉円盤の材質は、例えばポリカーボネート等滑りの良い材質の合成樹脂、或いは、特許文献１に記載の副キーガイドのように夜でも視認できるようにするには、蓄光性成分を有する高分子材料とすればよい。
【００１４】
上記厚肉円盤６は、図に示すようにシリンダ錠の主キーガイド３（図１参照）より大径の円環状をなし、その前面（図３で左側の面）には浅い擂鉢状の案内面１１が形成されている。
【００１５】
また、厚肉円盤６の中心には嵌合孔１２が開口しており、厚肉円盤６はこの嵌合孔１２を内筒の主キーガイド３（図１参照）に嵌合させるようにして、主キーガイド３の外側に装着される。
【００１６】
更にまた、案内面１１の中央部には、嵌合孔１２に近接して、かつ嵌合孔の中心軸を挟んで対称的に、一対の切欠部１３、１３が形成されている。
【００１７】
この切欠部１３は、鍵孔１０（図１参照）へ差込まれる合鍵のショルダ部を逃がすためのもので、ショルダ部と面接触をする平面部（図２で矩形に見える部分）を有する。
【００１８】
この切欠部１３を設ける理由は、ショルダ部と面接触させ、合鍵の鍵孔軸線方向の挿入深さを安定に保つためである。
【００１９】
なお、前記特許文献１における厚肉円盤６（副キーガイド６）は、その嵌合孔の裏側に形成された付番しない溝と、主キーガイド３の外周面にその母線に沿って形成されたこれも付番しない突条とを係合させて回り止めを施すと共に、保持筒５（図１参照）の前端開口を内側に延出させたストッパ部９によって厚肉円盤の主キーガイド３からの抜け止めを施しており、本発明においても同様の構成を採って厚肉円盤６を主キーガイドに装着することができる。
【００２０】
しかしながら、本発明における厚肉円盤６の主キーガイドへの装着の態様は本発明の必須の構成ではなく、例えば内筒の鍵孔１０（図１参照）に対する切欠部１３（図２参照）の角度位置を設計値に合わせて厚肉円盤６を主キーガイド３の外側に嵌合させた後、前者を接着剤によって後者に固定してもよい。
【００２１】
ところで、本発明の特徴的な構成は、厚肉円盤６の前面に形成された擂鉢状の案内面１１の表面に複数の環状溝１４、１４を同心に形成したことである。
【００２２】
図示の実施例における環状溝１４は、図４に示すように、横断面形状が直角三角形で、水平な辺と垂直な辺の２辺が直角を挟んでいる。
【００２３】
なお、図４は図３における案内面の係合孔１２に関し上方の案内面を拡大したもので、上記水平な辺が係合孔１２に関し垂直な辺より外側になる。
【００２４】
また、鍵先は図４において上方から下方に移動するので、環状溝１４の幅が大きいと鍵先が環状溝に落込むので、騒音と振動が発生することがある。
【００２５】
そこで、本発明では、上記環状溝１４の幅、すなわち、案内面１１における開口の幅を適切に設定して、合鍵の鍵先が環状溝に落込んだり引っ掛かったりしないようにしている。
【００２６】
ちなみに、図４に示す形状の環状溝は、溝の開口縁の断面が鈍角となるので、鍵先が上から下に向かって滑動し環状溝１４を乗り越えるとき乗り越え易い。
【００２７】
上記のように構成されたこの発明の一実施例による差込み案内装置は、案内面に沿って鍵孔方向に誘導される合鍵が案内面に付着した塵埃を掻き取っても、環状溝を乗り越えるとき塵埃を環状溝に残して鍵孔中に挿入されるので、鍵孔内に導入される塵埃の量が各段に少なくなり、シリンダ錠の円滑な作動を長期間にわたって期待できる、という効果を奏することは前記した通りである。
【実施例２】
【００２８】
図５はこの発明の他の実施例を示し、この実施例は、環状溝１４の横断面形状を半円形、或いはＵ字形にしたものである。
【００２９】
図５に示すものも図２乃至図４に示すものと同様の効果を奏することは言うまでもない。
【図面の簡単な説明】
【００３０】
【図１】従来の差込み案内装置の断面図。
【図２】この発明の一実施例による差込み案内装置の厚肉円盤の正面図。
【図３】その断面図。
【図４】図３に示す差込み案内装置の案内面の拡大断面図。
【図５】この発明の他の実施例による案内面の図３と同様の拡大断面図。
【符号の説明】
【００３１】
１  取付筒
２  内筒
３  主キーガイド
４  外筒
５  保持筒
６  厚肉円盤
１０  鍵孔
１１  案内面
１２  嵌合孔
１３  切欠部
１４  環状溝
【図１】
2008063800.tif 000003
【図２】
2008063800.tif 000004
【図３】
2008063800.tif 000005
【図４】
2008063800.tif 000006
【図５】
2008063800.tif 000007